(57)【要約】【課題】音声信号処理手段の切換時に発生する切換ノイズを削減することが可能な音声信号処理切換装置を提供すること。【解決手段】外部装置から音声情報を含む音声信号を入力する入力端子１００１、音声信号に所定の信号処理を施す第１および第２の音声信号処理手段１１１０、１１２０、複数の音声信号処理手段の何れかが接続され、第１の音声信号処理接続手段１０２１と第２の音声信号処理接続手段１０２２とを有する選択手段、入力された音声信号に遅延処理を施して出力する音声信号遅延手段１０３０、音声信号処理手段によって出力された音声信号と音声信号遅延手段１０３０によって出力された音声信号とを選択する音声信号選択手段１０４０、および音声信号選択手段１０４０で選択された音声信号を外部装置に出力する出力端子１００２によって構成される。【選択図】　図１
2004004274.tif 000002
【特許請求の範囲】
【請求項１】
音声情報を含む音声信号に所定の信号処理を施して処理音声信号を生成するための複数の音声信号処理手段と、前記処理音声信号を生成している１つの音声信号処理手段である第１の音声信号処理手段から第２の音声信号処理手段への切換えを選択する選択手段と、前記音声信号に含まれる音声情報および前記各音声信号処理手段における信号処理に要する処理時間に関する情報を格納し、前記格納された音声情報および前記各処理時間に関する情報に基づいて生成される音声信号を所定の遅延時間遅延させて得られる遅延音声信号を生成する音声信号遅延手段と、前記選択手段によって前記切換えが選択された場合に、前記第１の音声信号処理手段が生成する前記処理音声信号から前記音声信号遅延手段が生成する遅延音声信号に切換えてから前記第２の音声信号処理手段が生成する処理音声信号に切換える音声信号切換手段とを備え、前記音声信号遅延手段は、前記音声信号処理手段の切り換えが指定されたときに、切換えの前後で音声信号の跳びを生じさせないように前記遅延時間を変更させることを特徴とする音声信号処理切換装置。
【請求項２】
前記音声信号遅延手段の接続を切換える接続切換手段を備えたことを特徴とする請求項１記載の音声信号処理切換装置。
【請求項３】
前記選択手段によって指定された音声信号処理手段における信号処理に要する処理時間に関する情報を検出する処理時間検出手段を備え、前記処理時間検出手段は、検出した前記処理時間に関する情報を前記音声信号遅延手段に出力して格納させることを特徴とする請求項１記載の音声信号処理切換装置。
【請求項４】
音声情報を含む音声信号に所定の信号処理を施して処理音声信号を生成するための複数の音声信号処理手段と、前記複数の音声信号処理手段の何れか１つである第１の音声信号処理手段に前記音声信号を入力する第１の選択手段と、前記複数の音声信号処理手段のうちの前記第１の音声信号処理手段を除く何れか１つである第２の音声信号処理手段に前記音声信号を入力する第２の選択手段と、前記第２の音声信号処理手段によって生成された処理音声信号の振幅を予め所定値以下まで減衰させておき、前記第１の音声信号処理手段によって生成された処理音声信号の振幅を予め決められた時間に亘って所定値以下まで減衰させるとともに、前記第２の音声信号処理手段によって生成された処理音声信号の振幅を予め決められた時間に亘って減衰前の振幅まで復元させる振幅変更手段と、前記振幅変更手段によって振幅が変更された前記各処理音声信号をミキシングするミキシング手段とを備えたことを特徴とする音声信号処理切換装置。
【請求項５】
前記振幅変更手段は、前記第１の音声信号処理手段によって生成された処理音声信号の振幅の減衰率と前記第２の音声信号処理手段によって生成された処理音声信号の振幅の減衰率との和を１とすることを特徴とする請求項４記載の音声信号処理切換装置。
【請求項６】
前記振幅変更手段は、前記第１の音声信号処理手段によって生成された処理音声信号の振幅の減衰と、前記第２の音声信号処理手段によって生成された処理音声信号の振幅の復元を交互に行うことを特徴とする請求項４記載の音声信号処理切換装置。
【請求項７】
前記振幅変更手段は、二値の前記各処理音声信号を右ビットシフトさせることによって前記各処理音声信号の振幅を減衰させる複数のビットシフト手段を有し、前記各ビットシフト手段のビットシフト量はそれぞれ独立に設定されることを特徴とする請求項４記載の音声信号処理切換装置。
【請求項８】
音声情報を含む音声信号に所定の信号処理を施して処理音声信号を生成するための複数の音声信号処理ステップと、前記処理音声信号を生成している１つの音声信号処理ステップである第１の音声信号処理ステップから第２の音声信号処理ステップへの切換えを選択する選択ステップと、前記音声信号に含まれる音声情報および前記各音声信号処理ステップでの信号処理に要する処理時間に関する情報を格納し、前記格納された音声情報および前記各処理時間に関する情報に基づいて生成される音声信号を所定の遅延時間遅延させて得られる遅延音声信号を生成する音声信号遅延ステップと、前記選択ステップで前記切換えが選択された場合に、前記第１の音声信号処理で生成される前記処理音声信号から前記音声信号遅延ステップで生成される遅延音声信号に切換えてから前記第２の音声信号処理ステップで生成される処理音声信号に切換える音声信号切換ステップとを備え、前記音声信号遅延ステップで、前記音声信号処理ステップの切り換えが指定されたときに、切換えの前後で音声信号の跳びを生じさせないように前記遅延時間を変更させることを特徴とする音声信号処理切換方法。
【請求項９】
音声情報を含む音声信号に所定の信号処理を施して処理音声信号を生成するための複数の音声信号処理ステップと、前記複数の音声信号処理ステップの何れか１つである第１の音声信号処理ステップで前記処理音声信号の生成を行う第１の選択ステップと、前記複数の音声信号処理ステップのうちの前記第１の音声信号処理ステップを除く何れか１つである第２の音声信号処理ステップで前記処理音声信号の生成を行う第２の選択ステップと、前記第２の音声信号処理ステップで生成された処理音声信号の振幅を予め所定値以下まで減衰させておき、前記第１の音声信号処理ステップで生成された処理音声信号の振幅を予め決められた時間に亘って所定値以下まで減衰させるとともに、前記第２の音声信号処理ステップで生成された処理音声信号の振幅を予め決められた時間に亘って減衰前の振幅まで復元させる振幅変更ステップと、前記振幅変更ステップで振幅が変更された前記各処理音声信号をミキシングするミキシングステップとを備えたことを特徴とする音声信号処理切換方法。
【発明の詳細な説明】
【０００１】
【発明の属する技術分野】
本発明は、音響機器の運用中に音声信号処理の切換に伴って発生する切換ノイズを軽減する音声信号処理切換装置および音声信号処理切換方法に関するものである。
【０００２】
【従来の技術】
従来、音声信号処理切換装置としては、特開昭６３−２３６０９９号公報に開示されたものが知られている。
【０００３】
図９に示す従来の音声信号処理切換装置９０００は、音声情報を含む音声信号を入力とする入力端子９００１、音声信号に所定の処理を施す第１および第２の音声信号処理手段９１１０、９１２０、第１の音声信号処理手段９１１０、または第２の音声信号処理手段９１２０の何れかに接続を切換える第１の音声信号処理接続手段９０２１、および第２の音声信号処理接続手段９０２２、音声信号処理された音声信号、または音声入力端子に入力された音声信号の何れかを選択する音声信号切換手段９０４０、および音声信号切換手段９０４０によって選択された音声信号を出力する出力端子９００２によって構成される。
【０００４】
第１の音声信号処理接続手段９０２１、および第２の音声信号処理接続手段９０２２は、第１の音声信号処理手段９１１０、または第２の音声信号処理手段９１２０の何れかに接続を切換え、入力された音声信号に施す信号処理を選択するための手段である。
音声信号切換手段９０４０は、第１の音声信号処理接続手段９０２１、および第２の音声信号処理接続手段９０２２によって音声信号処理手段の接続を切換えるときに、音声信号を入力端子９００１側に接続して、入力された音声信号を出力端子９００２に出力し、音声信号処理手段の接続を切換えないときに、音声信号処理手段側に接続して所定の処理が施された音声信号を出力端子９００２に出力するための手段である。
【０００５】
この構成により、音声信号処理手段の接続を切換えている間に、入力された音声信号が出力されるため、音声信号処理手段の接続が切換えられている間でも、音声信号の出力が途絶えることなく出力される。
【０００６】
【発明が解決しようとする課題】
しかし、このような従来の音声信号処理切換装置では、音声信号処理手段によって処理されて出力される音声信号と、直接出力される音声信号との間に遅延時間、または位相差が生じる場合、音声信号切換手段９０４０によって上記２つの音声信号の切換があったときに、上記遅延時間または位相差に起因して切換ノイズが発生することがあるという問題があった。
【０００７】
本発明は、このような問題を解決するためになされたもので、音声信号処理手段の切換時に発生する切換ノイズを削減することが可能な音声信号処理切換装置、および音声信号処理切換方法を提供するものである。
【０００８】
【課題を解決するための手段】
本発明の音声信号処理切換装置は、音声情報を含む音声信号に所定の信号処理を施して処理音声信号を生成するための複数の音声信号処理手段と、前記処理音声信号を生成している１つの音声信号処理手段である第１の音声信号処理手段から第２の前記音声信号処理手段への切換えを選択する選択手段と、前記音声信号に含まれる音声情報および前記各音声信号処理手段における信号処理に要する処理時間に関する情報を格納し、前記格納された音声情報および前記各処理時間に関する情報に基づいて生成される音声信号を所定の遅延時間遅延させて得られる遅延音声信号を生成する音声信号遅延手段と、前記選択手段によって前記切換えが選択された場合に、前記第１の音声信号処理手段が生成する前記処理音声信号から前記音声信号遅延手段が生成する遅延音声信号に切換えてから前記第２の音声信号処理手段が生成する処理音声信号に切換える音声信号切換手段とを備え、前記音声信号遅延手段は、前記音声信号処理手段の切り換えが指定されたときに、切換えの前後で音声信号の跳びを生じさせないように前記遅延時間を変更させる構成を有している。この構成により、音声信号遅延手段によって遅延音声信号を生成して、処理音声信号の位相と遅延音声信号の位相を合わせてから選択手段が音声信号処理手段を切換えるため、各音声信号処理手段の信号処理に要する処理時間の差に起因する音声信号処理手段の切換時の切換ノイズを削減することが可能である。
【０００９】
また、本発明の音声信号処理切換装置は、音声情報を含む音声信号に所定の信号処理を施して処理音声信号を生成するための複数の音声信号処理手段と、前記処理音声信号を生成している１つの音声信号処理手段である第１の音声信号処理手段から第２の前記音声信号処理手段への切換えを選択する選択手段と、前記音声信号に含まれる音声情報および前記各音声信号処理手段における信号処理に要する処理時間に関する情報を格納し、前記格納された音声情報および前記各処理時間に関する情報に基づいて生成される音声信号を所定の遅延時間遅延させて得られる遅延音声信号を生成する音声信号遅延手段と、前記選択手段によって前記切換えが選択された場合に、前記第１の音声信号処理手段が生成する前記処理音声信号から前記音声信号遅延手段が生成する遅延音声信号に切換えてから前記第２の音声信号処理手段が生成する処理音声信号に切換える音声信号切換手段と、前記音声信号遅延手段の接続を切換える接続切換手段とを備え、前記音声信号遅延手段は、前記音声信号処理手段の切り換えが指定されたときに、切換えの前後で音声信号の跳びを生じさせないように前記遅延時間を変更させる構成を有している。この構成により、音声信号遅延手段によって遅延音声信号を生成して、処理音声信号の位相と遅延音声信号の位相を合わせてから音声信号を切換えるため、各音声信号処理手段の信号処理に要する処理時間の差に起因する音声信号処理手段の切換時の切換ノイズを削減でき、さらに、音声信号遅延手段を外部の装置に流用することが可能である。
【００１０】
また、本発明の音声信号処理切換装置は、音声情報を含む音声信号に所定の信号処理を施して処理音声信号を生成するための複数の音声信号処理手段と、前記処理音声信号を生成している１つの音声信号処理手段である第１の音声信号処理手段から第２の前記音声信号処理手段への切換えを選択する選択手段と、前記音声信号に含まれる音声情報および前記各音声信号処理手段における信号処理に要する処理時間に関する情報を格納し、前記格納された音声情報および前記各処理時間に関する情報に基づいて生成される音声信号を所定の遅延時間遅延させて得られる遅延音声信号を生成する音声信号遅延手段と、前記選択手段によって前記切換えが選択された場合に、前記第１の音声信号処理手段が生成する前記処理音声信号から前記音声信号遅延手段が生成する遅延音声信号に切換えてから前記第２の音声信号処理手段が生成する処理音声信号に切換える音声信号切換手段と、前記選択手段によって指定された音声信号処理手段における信号処理に要する処理時間に関する情報を検出する処理時間検出手段とを備え、前処理時間検出手段は、検出した前記処理時間に関する情報を前記音声信号遅延手段に出力して格納させ、前記音声信号遅延手段は、前記音声信号処理手段の切り換えが指定されたときに、切換えの前後で音声信号の跳びを生じさせないように前記遅延時間を変更させる構成を有している。この構成により、選択手段が音声信号処理手段を切換えるときに、切換えられた音声信号処理手段の信号処理に要する処理時間を求め、求めた処理時間に基づいて音声信号遅延手段によって遅延音声信号を生成して、処理音声信号の位相と遅延音声信号の位相を合わせてから音声信号を切換えるため、信号処理時間の不明な音声信号処理手段が接続された場合でも、各音声信号処理手段の信号処理に要する処理時間の差に起因する音声信号処理手段の切換時の切換ノイズを削減できる。
【００１１】
また、本発明の音声信号処理切換装置は、音声情報を含む音声信号に所定の信号処理を施して処理音声信号を生成するための複数の音声信号処理手段と、前記複数の音声信号処理手段の何れか１つである第１の音声信号処理手段に前記音声信号を入力する第１の選択手段と、前記複数の音声信号処理手段のうちの前記第１の音声信号処理手段を除く何れか１つである第２の音声信号処理手段に前記音声信号を入力する第２の選択手段と、前記第２の音声信号処理手段によって生成された処理音声信号の振幅を予め所定値以下まで減衰させておき、前記第１の音声信号処理手段によって生成された処理音声信号の振幅を予め決められた時間に亘って所定値以下まで減衰させるとともに、前記第２の音声信号処理手段によって生成された処理音声信号の振幅を予め決められた時間に亘って減衰前の振幅まで復元させる振幅変更手段と、前記振幅変更手段によって振幅が変更された前記各処理音声信号をミキシングするミキシング手段とを備えた構成を有している。この構成により、音声信号処理手段によって処理された音声信号の振幅の減衰率を徐々に変化させて出力するために、各音声信号処理手段の信号処理に要する処理時間の差に起因する音声信号処理手段の切換時の切換ノイズを削減でき、さらに、振幅の不連続および周波数特性の不連続によるクリックノイズを削減することができる。
【００１２】
また、本発明の音声信号処理切換装置は、音声情報を含む音声信号に所定の信号処理を施して処理音声信号を生成するための複数の音声信号処理手段と、前記複数の音声信号処理手段の何れか１つである第１の音声信号処理手段に前記音声信号を入力する第１の選択手段と、前記複数の音声信号処理手段のうちの前記第１の音声信号処理手段を除く何れか１つである第２の音声信号処理手段に前記音声信号を入力する第２の選択手段と、前記第２の音声信号処理手段によって生成された処理音声信号の振幅を予め所定値以下まで減衰させておき、前記第１の音声信号処理手段によって生成された処理音声信号の振幅を予め決められた時間に亘って所定値以下まで減衰させるとともに、前記第２の音声信号処理手段によって生成された処理音声信号の振幅を予め決められた時間に亘って減衰前の振幅まで復元させる振幅変更手段と、前記振幅変更手段によって振幅が変更された前記各処理音声信号をミキシングするミキシング手段とを備え、前記振幅変更手段は、前記第１の音声信号処理手段によって生成された処理音声信号の振幅の減衰率と前記第２の音声信号処理手段によって生成された処理音声信号の振幅の減衰率との和を１とする構成を有している。この構成により、音声信号処理手段によって処理された音声信号の振幅の減衰率を排他的に変化させて出力するために、各音声信号処理手段の信号処理に要する処理時間の差に起因する音声信号処理手段の切換時の切換ノイズを削減でき、さらに、振幅の不連続および周波数特性の不連続によるクリックノイズを削減することができる。
【００１３】
また、本発明の音声信号処理切換装置は、音声情報を含む音声信号に所定の信号処理を施して処理音声信号を生成するための複数の音声信号処理手段と、前記複数の音声信号処理手段の何れか１つである第１の音声信号処理手段に前記音声信号を入力する第１の選択手段と、前記複数の音声信号処理手段のうちの前記第１の音声信号処理手段を除く何れか１つである第２の音声信号処理手段に前記音声信号を入力する第２の選択手段と、前記第２の音声信号処理手段によって生成された処理音声信号の振幅を予め所定値以下まで減衰させておき、前記第１の音声信号処理手段によって生成された処理音声信号の振幅を予め決められた時間に亘って所定値以下まで減衰させるとともに、前記第２の音声信号処理手段によって生成された処理音声信号の振幅を予め決められた時間に亘って減衰前の振幅まで復元させる振幅変更手段と、前記振幅変更手段によって振幅が変更された前記各処理音声信号をミキシングするミキシング手段とを備え、前記振幅変更手段は、前記第１の音声信号処理手段によって生成された処理音声信号の振幅の減衰と、前記第２の音声信号処理手段によって生成された処理音声信号の振幅の復元を交互に行う構成を有している。この構成により、音声信号処理手段によって処理された音声信号の振幅の減衰率を交互に変化させて出力するために、各音声信号処理手段の信号処理に要する処理時間の差に起因する音声信号処理手段の切換時の切換ノイズを削減でき、さらに、振幅の不連続および周波数特性の不連続によるクリックノイズを削減することができる。
【００１４】
また、本発明の音声信号処理切換装置は、音声情報を含む音声信号に所定の信号処理を施して処理音声信号を生成するための複数の音声信号処理手段と、前記複数の音声信号処理手段の何れか１つである第１の音声信号処理手段に前記音声信号を入力する第１の選択手段と、前記複数の音声信号処理手段のうちの前記第１の音声信号処理手段を除く何れか１つである第２の音声信号処理手段に前記音声信号を入力する第２の選択手段と、前記第２の音声信号処理手段によって生成された処理音声信号の振幅を予め所定値以下まで減衰させておき、前記第１の音声信号処理手段によって生成された処理音声信号の振幅を予め決められた時間に亘って所定値以下まで減衰させるとともに、前記第２の音声信号処理手段によって生成された処理音声信号の振幅を予め決められた時間に亘って減衰前の振幅まで復元させる振幅変更手段と、前記振幅変更手段によって振幅が変更された前記各処理音声信号をミキシングするミキシング手段とを備え、前記振幅変更手段は、二値の前記各処理音声信号を右ビットシフトさせることによって前記各処理音声信号の強度を減衰させる複数のビットシフト手段を有し、前記各ビットシフト手段のビットシフト量はそれぞれ独立に設定される構成を有している。この構成により、音声信号処理手段によって処理された音声信号の振幅を徐々に変化させて出力するために、各音声信号処理手段の信号処理に要する処理時間の差に起因する音声信号処理手段の切換時の切換ノイズを削減でき、さらに、振幅の不連続および周波数特性の不連続によるクリックノイズを削減することができる。
【００１５】
また、本発明の音声信号処理切換方法は、音声情報を含む音声信号に所定の信号処理を施して処理音声信号を生成するための複数の音声信号処理ステップと、前記処理音声信号を生成している１つの音声信号処理ステップである第１の音声信号処理ステップから第２の前記音声信号処理ステップへの切換えを選択する選択ステップと、前記音声信号に含まれる音声情報および前記各音声信号処理ステップでの信号処理に要する処理時間に関する情報を格納し、前記格納された音声情報および前記各処理時間に関する情報に基づいて生成される音声信号を所定の遅延時間遅延させて得られる遅延音声信号を生成する音声信号遅延ステップと、前記選択ステップで前記切換えが選択された場合に、前記第１の音声信号処理で生成される前記処理音声信号から前記音声信号遅延ステップで生成される遅延音声信号に切換えてから前記第２の音声信号処理ステップで生成される処理音声信号に切換える音声信号切換ステップとを備え、前記音声信号遅延ステップで、前記音声信号処理ステップの切り換えが指定されたときに、切換えの前後で音声信号の跳びを生じさせないように前記遅延時間を変更させる方法を実行している。この方法により、音声信号遅延手段によって遅延音声信号を生成して、処理音声信号の位相と遅延音声信号の位相を合わせてから選択手段が音声信号処理手段を切換えるため、各音声信号処理手段の信号処理に要する処理時間の差に起因する音声信号処理手段の切換時の切換ノイズを削減することが可能である。
【００１６】
また、本発明の音声信号処理切換方法は、音声情報を含む音声信号に所定の信号処理を施して処理音声信号を生成するための複数の音声信号処理手段と、前記複数の音声信号処理手段の何れか１つである第１の音声信号処理手段に前記音声信号を入力する第１の選択手段と、前記複数の音声信号処理手段のうちの前記第１の音声信号処理手段を除く何れか１つである第２の音声信号処理手段に前記音声信号を入力する第２の選択手段と、前記第２の音声信号処理手段によって生成された処理音声信号の振幅を予め所定値以下まで減衰させておき、前記第１の音声信号処理手段によって生成された処理音声信号の振幅を予め決められた時間に亘って所定値以下まで減衰させるとともに、前記第２の音声信号処理手段によって生成された処理音声信号の振幅を予め決められた時間に亘って減衰前の振幅まで復元させる振幅変更手段と、前記振幅変更手段によって振幅が変更された前記各処理音声信号をミキシングするミキシング手段とを備えた方法を実行している。この方法により、音声信号処理手段によって処理された音声信号の振幅の減衰率を徐々に変化させて出力するために、各音声信号処理手段の信号処理に要する処理時間の差に起因する音声信号処理手段の切換時の切換ノイズを削減でき、さらに、振幅の不連続および周波数特性の不連続によるクリックノイズを削減することができる。
【００１７】
【発明の実施の形態】
以下、本発明の実施の形態について、図面を用いて説明する。
図１に示すように、本発明の第１の実施の形態の音声信号処理切換装置１０００は、外部装置から音声情報を含む音声信号を入力する入力端子１００１、音声信号に所定の信号処理を施す複数の音声信号処理手段、複数の音声信号処理手段の何れかが接続される第１の音声信号処理接続手段１０２１、および第２の音声信号処理接続手段１０２２、入力された音声信号に遅延処理を施して出力する音声信号遅延手段１０３０、音声信号処理手段によって出力された音声信号と音声信号遅延手段１０３０によって出力された音声信号とを選択する音声信号選択手段１０４０、および音声信号選択手段１０４０で選択された音声信号を外部装置に出力する出力端子１００２によって構成される。
【００１８】
なお、第１の音声信号処理接続手段１０２１、および第２の音声信号処理接続手段１０２２によって、１つの音声信号処理手段である第１の音声信号処理手段１１１０から第２の音声信号処理手段１１２０への切換えを選択する選択手段が構成される。
また、図１において、複数の音声信号処理手段は、第１の音声信号処理手段１１１０、および第２の音声信号処理手段１１２０として図示されている。
【００１９】
入力端子１００１は、外部装置によって出力された音声信号を入力とし、入力された音声信号を第１の音声信号処理接続手段１０２１と音声信号遅延手段１０３０とに出力する。
【００２０】
第１の音声信号処理接続手段１０２１は、入力端子１００１に接続された端子と複数の音声信号処理手段と接続可能な端子とを有し、音声信号処理手段との接続を第２の音声信号処理接続手段１０２２と共に切換え、さらに、入力端子１００１経由の音声信号を入力とし、入力された音声信号を接続されている音声信号処理手段に出力するための手段である。
【００２１】
複数の音声信号処理手段は、第１および第２の音声信号処理接続手段１０２１、１０２２によって第１および第２の音声信号処理接続手段１０２１、１０２２との接続が切換えられたときに、第１の音声信号処理接続手段１０２１によって出力された音声信号を入力とし、入力された音声信号に所定の処理を施して、処理音声信号を生成し、生成した処理音声信号を第２の音声信号処理接続手段１０２２に出力するための手段である。
【００２２】
第２の音声信号処理接続手段１０２２は、音声信号切換手段１０４０に接続された端子と複数の音声信号処理手段と接続可能な端子とを有し、音声信号処理手段との接続を第１の音声信号処理接続手段１０２１と共に切換え、さらに、接続されている音声信号処理手段によって出力された処理音声信号を入力とし、入力された処理音声信号を音声信号切換手段１０４０に出力するための手段である。
【００２３】
なお、音声信号処理手段は、２以上存在するのでもよく、また、音声信号処理手段と第１および第２の音声信号処理接続手段１０２１、１０２２との接続は、スイッチなどによって切換えられるのでもよいし、脱着可能な端子によって切換えられるのでもよい。
【００２４】
音声信号遅延手段１０３０は、入力端子１００１経由の音声信号を入力とし、入力された音声信号に、選択手段に接続された音声信号処理手段の信号処理に要する処理時間に基づいて出力遅延処理を施し、出力遅延処理を施した音声信号を遅延音声信号として音声信号切換手段１０４０に出力するための手段である。
【００２５】
ここで、音声信号遅延手段１０３０は、例えば、音声データ格納手段１０３１、格納アドレス指定手段１０３２、アドレスオフセット手段１０３３、遅延時間変換手段１０３４、積分手段１０３５、減算手段１０３６、および読出アドレス指定手段１０３７によって構成されるが、他の構成によって実現されてもよい。
【００２６】
以下、上記の音声信号遅延手段１０３０の構成例にしたがって、音声信号遅延手段１０３０の動作の詳細を説明する。
【００２７】
音声データ格納手段１０３１は、入力端子１００１経由の音声信号と格納アドレス指定手段１０３２によって出力された格納アドレスを指定する旨の信号とを入力とし、入力された格納アドレスを指定する旨の信号に応じて、入力された音声信号に含まれる音声情報を指定されたアドレスに格納するための手段である。
【００２８】
また、音声データ格納手段１０３１は、読出アドレス指定手段１０３７によって出力された読出アドレスを指定する旨の信号を入力とし、入力された読出アドレスを指定する旨の信号に応じて、指定されたアドレスに格納されている音声情報を電気信号を媒介にして、遅延音声信号として音声信号切換手段１０４０に出力する。
【００２９】
格納アドレス指定手段１０３２は、アドレスオフセット手段１０３３によって出力されたアドレス値に基づいて格納アドレスを指定する旨の信号を生成し、生成された格納アドレスを指定する旨の信号を音声データ格納手段１０３１に出力するための手段である。
アドレスオフセット手段１０３３は、アドレス値を生成し、アドレス値を格納アドレス指定手段１０３２と減算手段１０３６に出力するための手段である。
【００３０】
なお、アドレスオフセット手段１０３３によって出力されるアドレス値は、０値から始まり、一単位時間毎に１ずつ増加されながら出力され、予め設定された値である最終値まで増加された後に、０値にもどる。
ここで、一単位時間とは、予め設定された時間のことであり、音声信号遅延手段１０３０において行われる処理は、一単位時間毎に行われる。
【００３１】
遅延時間変換手段１０３４は、選択手段に接続されている音声信号処理手段の信号処理に要する処理時間に関する情報に基づいて処理時間値を生成し、生成された処理時間値を出力するための手段である。
ここで、処理時間値とは、選択手段に接続されている音声信号処理手段の信号処理に要する処理時間を一単位時間で除算して得られた値のことである。
【００３２】
なお、音声信号処理手段の信号処理に要する処理時間に関する情報は、予め遅延時間変換手段１０３４内に格納されていてもよいし、外部から入力されてもよい。また、音声信号処理手段の信号処理に要する処理時間に関する情報が外部から入力される場合に、専用の入力端子を設け、上記入力端子によって音声信号処理手段の信号処理に要する処理時間に関する情報が入力されるものとする。
【００３３】
積分手段１０３５は、遅延時間変換手段１０３４によって出力された処理時間値を入力とし、入力された処理時間値に基づいて積分遅延値を減算手段１０３６に出力するための手段である。
ここで、積分遅延値とは、積分手段１０３５内に格納されている初期値から処理時間値まで単調増加または単調減少する遅延量の情報のことである。また、初期値とは、処理時間値が入力されたときに積分手段１０３５によって出力されていた積分遅延値のことである。
また、積分遅延値は、処理時間値が入力されてから一単位時間毎に変更され、初期値から処理時間値まで所定の時間をかけて変更される。
なお、積分遅延値の小数点以下の値は、切り上げられるものとする。
【００３４】
図２は、積分手段１０３５の構成例を示した図である。
図２において、積分手段１０３５は、第１の乗算器２０９１、加算器２０９２、遅延手段２０９３、および第２の乗算器２０９４によって構成される。
【００３５】
第１の乗算器２０９１は、入力値に第１の定数が乗算された値である第１の乗算値を加算器２０９２に出力する。
加算器２０９２は、第１の乗算器によって出力された値である第１の乗算値と第２の乗算器によって出力された値である第２の乗算値を入力として、第１の乗算値と第２の乗算値とを加算して得られた値である出力値を、積分手段１０３５の外部と遅延手段２０９３とに出力する。
【００３６】
遅延手段２０９３は、加算器２０９２によって出力された出力値を入力とし、入力された出力値を保持して、１サンプリングの遅延処理を施した後に、遅延値として出力する。
第２の乗算器２０９４は、遅延手段２０９３によって出力された遅延値を入力とし、入力された遅延値に第２の定数を乗算して生成した第２の乗算値を加算器２０９２に出力する。
【００３７】
ここで、第１および第２の定数とは、予め設定された値であり、第１の定数と第２の定数との合計は、必ず１となるものとする。
なお、積分手段１０３５は、上記の構成によっても実現されるが、積分遅延値の初期値から処理時間値へ変更される様子が、同様のものであれば、他の構成によって実現されてもよい。
【００３８】
減算手段１０３６は、アドレスオフセット手段１０３３によって出力されたアドレス値と積分手段１０３５によって出力された積分遅延値とを入力とし、アドレス値から積分遅延値を減算して読出アドレス値を生成し、生成された読出アドレス値を読出アドレス指定手段１０３７に出力するための手段である。
【００３９】
読出アドレス指定手段１０３７は、減算手段１０３６によって出力された読出アドレス値を入力とし、入力された読出アドレス値に基づいて読出アドレスを指定する旨の信号を生成し、生成した読出アドレスを指定する旨の信号を音声データ格納手段１０３１に出力するための手段である。
【００４０】
音声信号選択手段１０４０は、出力信号を切換えるための手段であり、例えば図１に示すように、音声信号遅延手段１０３０、または第２の音声信号処理接続手段１０２２の何れかからの出力信号を選択するものである。
また、音声信号選択手段１０４０は、第２の音声信号処理接続手段１０２２の出力信号、または音声信号遅延手段１０３０の出力信号のうち何れかの信号を出力端子１００２に出力する。
【００４１】
また、音声信号選択手段１０４０は、第１および第２の音声信号処理接続手段１０２１、１０２２によって音声信号処理手段との接続が切換えられる直前に、音声信号遅延手段１０３０と出力端子１００２とを接続する。
このときに、音声信号選択手段１０４０は、音声信号遅延手段１０３０によって出力された遅延音声信号を入力とし、入力された遅延音声信号を出力端子１００２に出力する。
【００４２】
また、音声信号選択手段１０４０は、遅延音声信号に施された出力遅延処理の遅延時間と第２の音声信号処理手段１１２０の信号処理に要する処理時間とが一致したときに、第２の音声信号処理接続手段１０２２と出力端子１００２とを接続する。
このときに、音声信号選択手段１０４０は、第２の音声信号処理接続手段１０２２によって出力された処理音声信号を入力とし、入力された処理音声信号を出力端子１００２に出力する。
【００４３】
なお、音声信号選択手段１０４０は、第２の音声信号処理接続手段１０２２によって出力された処理音声信号と音声信号遅延手段１０３０によって出力された遅延音声信号とを入力として、入力された２つの音声信号の何れかを選択して出力端子１００２に出力するのでもよい。
【００４４】
出力端子１００２は、音声信号選択手段１０４０によって出力された処理音声信号、または遅延音声信号を入力として、入力された処理音声信号、または遅延音声信号を外部装置に出力する。
以下、本発明の第１の実施の形態の音声信号処理切換方法における、第１の音声信号処理接続手段１０２１、第２の音声信号処理接続手段１０２２によって音声信号処理手段が切換えられるときの処理の詳細について説明する。
【００４５】
ここでは、第１の音声信号処理手段１１１０から第２の音声信号処理手段１１２０に接続が切換えられる場合を例に説明する。
なお、説明に先立ち、第１の音声信号処理接続手段１０２１、第２の音声信号処理接続手段１０２２は、第１の音声信号処理手段１１１０と接続されており、音声信号選択手段１０４０は、第２の音声信号処理接続手段１０２２に接続された端子に接続されている。また、音声信号遅延手段１０３０は、入力された音声信号に、第１の音声信号処理手段１１１０の信号処理に要する処理時間と同様の出力遅延処理をが施された遅延音声信号が出力されている。
【００４６】
音声信号選択手段１０４０は、第２の音声信号処理接続手段１０２２に接続された端子から音声信号遅延手段１０３０に接続された端子に接続を切換える（第１ステップ）。
第１の音声信号処理接続手段１０２１、第２の音声信号処理接続手段１０２２は、接続を第１の音声信号処理手段１１１０から第２の音声信号処理手段１１２０に切換える（第２ステップ）。
【００４７】
音声信号遅延手段１０３０は、第２の音声信号処理手段１１２０の信号処理に要する処理時間に基づいて、遅延音声信号に施される出力遅延処理の遅延時間を一単位時間毎に変更しながら遅延音声信号を出力する（第３ステップ）。
音声信号選択手段１０４０は、遅延音声信号に施された出力遅延処理の遅延時間と第２の音声信号処理手段１１２０の信号処理に要する処理時間とが一致したときに、接続を音声信号遅延手段１０３０に接続された端子から第２の音声信号処理接続手段１０２２に接続された端子に接続を切換える（第４ステップ）。
【００４８】
なお、本発明の第１の実施の形態の音声信号処理切換装置１０００は、デジタル信号処理装置（Ｄｉｇｉｔａｌ　Ｓｉｇｎａｌ　Ｐｒｏｃｅｓｓｏｒ、ＤＳＰ）の一部分として用いられてもよい。
【００４９】
以上説明したように、本発明の第１の実施の形態の音声信号処理切換装置および音声信号処理切換方法は、音声信号遅延手段によって遅延音声信号を生成して、処理音声信号の位相と遅延音声信号の位相を合わせてから選択手段が音声信号処理手段を切換えるため、各音声信号処理手段の信号処理に要する処理時間の差に起因する音声信号処理手段の切換時の切換ノイズを削減することが可能である。
【００５０】
図３は、本発明の第２の実施の形態の音声信号処理切換装置３０００の概略ののブロック構成を示す図である。
音声信号処理切換装置３０００は、外部装置から音声情報を含む音声信号を入力する入力端子１００１、音声信号に所定の信号処理を施す複数の音声信号処理手段、複数の音声信号処理手段の何れかが接続される第１の音声信号処理接続手段１０２１、および第２の音声信号処理接続手段１０２２、入力された音声信号に遅延処理を施して出力する音声信号遅延手段１０３０、音声信号処理手段によって出力された音声信号と音声信号遅延手段１０３０によって出力された音声信号とを選択する音声信号選択手段１０４０、音声信号選択手段１０４０で選択された音声信号を外部装置に出力する出力端子１００２、および入力端子１００１と音声信号遅延手段とを接続する第１の接続端子３０６１と出力端子１００２と音声信号遅延手段とを接続する第２の接続端子３０６２とを有する接続切換手段によって構成される。
【００５１】
なお、第１の音声信号処理接続手段１０２１、および第２の音声信号処理接続手段１０２２によって、１つの音声信号処理手段である第１の音声信号処理手段１１１０から第２の音声信号処理手段１１２０への切換えを選択する選択手段が構成される。
また、図３において、複数の音声信号処理手段は、第１の音声信号処理手段１１１０、および第２の音声信号処理手段１１２０として図示されている。
【００５２】
ここで、本発明の第２の実施の形態の音声信号処理切換装置３０００を構成する構成手段のうち、上記本発明の第１の実施の形態の音声信号処理切換装置１０００における構成手段と同様の処理を行うものには同一の符号を付し、その説明を省略する。
【００５３】
接続切換手段は、第１の接続端子３０６１、および第２の接続端子３０６２を有し、音声信号遅延手段１０３０を音声信号処理切換装置３０００から切り離し、音声信号遅延手段１０３０を他の装置に接続することが可能な手段である。
ここで、音声信号遅延手段１０３０は、接続された他の装置の処理に応じて、音声情報以外の情報を含む信号に遅延処理を施してもよく、単なる格納手段として使用されてもよい。
【００５４】
なお、本発明の第２の実施の形態の音声信号処理切換装置３０００は、デジタル信号処理装置（Ｄｉｇｉｔａｌ　Ｓｉｇｎａｌ　Ｐｒｏｃｅｓｓｏｒ、ＤＳＰ）の一部分として用いられてもよい。
【００５５】
以上説明したように、本発明の第２の実施の形態の音声信号処理切換装置は、音声信号遅延手段によって遅延音声信号を生成して、処理音声信号の位相と遅延音声信号の位相を合わせてから音声信号を切換えるため、各音声信号処理手段の信号処理に要する処理時間の差に起因する音声信号処理手段の切換時の切換ノイズを削減でき、さらに、音声信号遅延手段を外部の装置に流用することが可能である。
【００５６】
図４は、本発明の第３の実施の形態の音声信号処理切換装置４０００の概略ののブロック構成を示す図である。
音声信号処理切換装置４０００は、外部装置から音声情報を含む音声信号を入力する入力端子１００１、音声信号に所定の信号処理を施す複数の音声信号処理手段、複数の音声信号処理手段の何れかが接続される第１の音声信号処理接続手段１０２１、および第２の音声信号処理接続手段１０２２、入力された音声信号に遅延処理を施して出力する音声信号遅延手段１０３０、音声信号処理手段に入力される信号を選択して切換える第１の処理信号切換端子４０７１と第２の処理信号切換端子４０７２を有する処理信号選択手段、音声信号処理手段の信号処理に要する処理時間を検出する処理時間検出手段４０８０、音声信号処理手段によって出力された音声信号と音声信号遅延手段１０３０によって出力された音声信号とを選択する音声信号選択手段１０４０、および音声信号選択手段１０４０で選択された音声信号を外部装置に出力する出力端子１００２によって構成される。
【００５７】
なお、第１の音声信号処理接続手段１０２１、および第２の音声信号処理接続手段１０２２によって、１つの音声信号処理手段である第１の音声信号処理手段１１１０から第２の音声信号処理手段１１２０への切換えを選択する選択手段が構成される。
また、図４において、複数の音声信号処理手段は、第１の音声信号処理手段１１１０、および第２の音声信号処理手段１１２０として図示されている。
【００５８】
ここで、本発明の第３の実施の形態の音声信号処理切換装置４０００を構成する構成手段のうち、上記本発明の第１の実施の形態の音声信号処理切換装置１０００における構成手段と同様の処理を行うものには同一の符号を付し、その説明を省略する。
【００５９】
第１の処理信号切換端子４０７１は、処理時間検出手段４０８０に接続された端子と入力端子１００２に接続された端子と第１の音声信号処理接続手段１０２１に接続された端子とを有し、処理時間検出手段４０８０、または入力端子１００２の何れかと第１の音声信号処理接続手段１０２１との接続を切換えるための手段である。
【００６０】
また、第１の処理信号切換端子４０７１は、第１および第２の音声信号処理接続手段１０２１、１０２２によって音声信号処理手段の接続が切換えられたときに、処理時間検出手段４０８０と第１の音声信号切換手段１０２１とを接続する。
このときに、第１の処理信号切換端子４０７１は、処理時間検出手段４０８０によって出力された試験信号を入力とし、入力された試験信号を第１の音声信号処理接続手段１０２１に出力する。
【００６１】
また、第１の処理信号切換端子４０７１は、処理時間検出手段４０８０によって行われる音声信号処理手段の信号処理に要する処理時間の検出が終了したときに、入力端子１００１と第１の音声信号切換手段１０２１とを接続する。
このときに、第１の処理信号切換端子４０７１は、入力端子１００２によって出力された音声信号を入力とし、入力された音声信号を第１の音声信号処理接続手段１０２１に出力する。
【００６２】
第２の処理信号切換端子４０７２は、処理時間検出手段４０８０に接続された端子と音声信号選択手段１０４０に接続された端子と第２の音声信号処理接続手段１０２２に接続された端子とを有し、処理時間検出手段４０８０、または音声信号選択手段１０４０の何れかと第２の音声信号処理接続手段１０２２との接続を切換えるための手段である。
【００６３】
また、第２の処理信号切換端子４０７２は、第１および第２の音声信号処理接続手段１０２１、１０２２によって音声信号処理手段の接続が切換えられたときに、処理時間検出手段４０８０と第２の音声信号切換手段１０２２とを接続する。
このときに、第２の処理信号切換端子４０７２は、第２の音声信号処理接続手段１０２２によって出力された処理試験信号を入力とし、入力された処理試験信号を処理時間検出手段４０８０に出力する。
ここで、処理試験信号とは、音声信号処理手段によって所定の処理が施された試験信号のことである。
【００６４】
また、第２の処理信号切換端子４０７２は、処理時間検出手段４０８０によって行われる音声信号処理手段の信号処理に要する処理時間の検出が終了したときに、第２の音声信号切換手段１０２２と音声信号選択手段１０４０とを接続する。
このときに、第２の処理信号切換端子４０７２は、第２の音声信号処理接続手段１０２２によって出力された処理音声信号を入力とし、入力された処理音声信号を音声信号選択手段１０４０に出力する。
ここで、処理音声信号とは、音声信号処理手段によって所定の処理が施された音声信号のことである。
【００６５】
処理時間検出手段４０８０は、音声信号処理手段の信号処理に要する処理時間を検出するための試験信号を第１の処理信号切換端子４０７１、および第１の音声信号処理接続手段１０２１経由で音声信号処理手段に出力し、音声信号処理手段で所定の処理が施された試験信号である処理試験信号を第２の音声信号処理接続手段１０２２、および第２の処理信号切換端子４０７２経由で入力とし、試験信号と入力された処理試験信号とに基づいて音声信号処理手段の信号処理に要する処理時間を検出するための手段である。
【００６６】
また、処理時間検出手段４０８０は、検出された音声信号処理手段の信号処理に要する処理時間に関する情報を音声信号遅延手段１０３０に出力し、格納させる。
ここで、音声信号遅延手段１０３０は、処理時間検出手段４０８０によって検出された処理時間に関する情報に基づいて、遅延処理を施すものとする。なお、音声信号遅延手段１０３０によって行われる遅延処理については、第１の実施の形態の音声信号処理切換装置と同様であるため、その説明を省略する。
【００６７】
処理時間検出手段４０８０は、例えば、試験信号発生手段４０８１、試験信号検出手段４０８２、および処理時間演算手段４０８３によって構成されるが、同様の処理可能な構成であれば、他の構成によって実現されてもよい。
以下、上記の処理時間検出手段４０８０の構成例に基づいて、処理時間検出手段４０８０の動作の詳細を説明する。
【００６８】
試験信号発生手段４０８１は、音声信号処理手段の信号処理に要する処理時間を検出するための試験信号を生成し、生成された試験信号を第１の処理信号切換端子４０７１、および第１の音声信号処理接続手段１０２１経由で音声信号処理手段に出力するための手段である。
また、試験信号発生手段４０８１は、生成された試験信号を処理時間演算手段４０８３に出力する。
【００６９】
試験信号検出手段４０８２は、音声信号処理手段によって出力され、音声信号処理手段で所定の処理が施された試験信号である処理試験信号を、第２の音声信号処理接続手段１０２２、および第２の処理信号切換端子４０７２経由で入力とし、入力された処理試験信号を処理時間演算手段４０８３に出力するための手段である。
【００７０】
処理時間演算手段４０８３は、試験信号発生手段４０８１によって出力された試験信号と試験信号検出手段４０８２によって出力された処理試験信号とを入力とし、入力された試験信号と処理試験信号とに基づいて音声信号処理手段の信号処理に要する処理時間を演算するための手段である。
【００７１】
なお、処理時間検出手段４０８０は、以下に説明するような動作例によっても実現される。
試験信号発生手段４０８１は、試験信号を第１の処理信号切換端子４０７１、および第１の音声信号処理接続手段１０２１経由で音声信号処理手段に出力し、さらに、試験信号を上記のように出力すると同時に、処理時間演算手段４０８３が有するクロックカウンタを動作させるための信号を処理時間演算手段４０８３に出力する。
【００７２】
試験信号検出手段４０８２は、音声信号処理手段によって出力された、音声信号処理手段で所定の処理が施された試験信号である処理試験信号を第２の音声信号処理接続手段１０２２、および第２の処理信号切換端子４０７２経由で入力とし、処理試験信号が入力された同時に、処理時間演算手段４０８３が有するクロックカウンタを停止させるための信号を処理時間演算手段４０８３に出力する。
【００７３】
処理時間演算手段４０８３は、試験信号発生手段４０８１によって出力されたクロックカウンタを動作させるための信号である動作信号を入力とし、入力された動作信号に応じてクロックカウンタを動作させる。
また、処理時間演算手段４０８３は、試験信号検出手段４０８２によって出力されたクロックカウンタを停止させるための信号である停止信号を入力とし、入力された停止信号に応じてクロックカウンタを停止させ、停止されたときのクロックカウンタの値に基づいて、音声信号処理手段の信号処理に要する処理時間を演算する。
【００７４】
なお、本発明の第３の実施の形態の音声信号処理切換装置４０００は、デジタル信号処理装置（Ｄｉｇｉｔａｌ　Ｓｉｇｎａｌ　Ｐｒｏｃｅｓｓｏｒ、ＤＳＰ）の一部分として用いられてもよい。
【００７５】
以上説明したように、本発明の第３の実施の形態の音声信号処理切換装置は、選択手段が音声信号処理手段を切換えるときに、切換えられた音声信号処理手段の信号処理に要する処理時間を求め、求めた処理時間に基づいて音声信号遅延手段によって遅延音声信号を生成して、処理音声信号の位相と遅延音声信号の位相を合わせてから音声信号を切換えるため、信号処理時間の不明な音声信号処理手段が接続された場合でも、各音声信号処理手段の信号処理に要する処理時間の差に起因する音声信号処理手段の切換時の切換ノイズを削減できる。
【００７６】
図５は、本発明の第４の実施の形態の音声信号処理切換装置５０００の概略ののブロック構成を示す図である。
音声信号処理切換装置５０００は、外部装置から音声情報を含む音声信号を入力する入力端子５００１、音声信号に所定の信号処理を施す複数の音声信号処理手段、複数の音声信号処理手段の何れかを接続する第１の音声信号処理接続手段５２０１、および第２の音声信号処理接続手段５２０２、複数の音声信号処理手段の何れかを接続する第３の音声信号処理接続手段５２０３、および第４の音声信号処理接続手段５２０４、第２の音声信号処理接続手段５２０２によって出力された処理音声信号の振幅を変化させるための第１の減衰率値と第４の音声信号処理接続手段５２０４によって出力された処理音声信号の振幅を変化させるための第２の減衰率値とを出力する減衰率変更手段５３００第２の音声信号処理接続手段５２０２によって出力された処理音声信号の振幅に減衰率を乗算する第１の乗算手段５９０１、第４の音声信号処理接続手段５２０４によって出力された処理音声信号の振幅に減衰率を乗算する第２の乗算手段５９０２、第１の乗算手段５９０１によって出力された信号と第２の乗算手段５９０２によって出力された信号とをミキシングして出力するミキシング手段５９０３と、およびミキシング手段５９０３によって出力された信号を外部装置に出力する出力端子５００２によって構成される。
【００７７】
なお、第１の音声信号処理接続手段５２０１、および第２の音声信号処理接続手段５２０２によって、複数の音声信号処理手段の何れか１つである第１の音声信号処理手段に前記音声信号を入力する第１の選択手段が構成される。
また、第３の音声信号処理接続手段５２０３、および第４の音声信号処理接続手段５２０４によって、複数の音声信号処理手段のうちの前記第１の音声信号処理手段１１１０を除く何れか１つである第２の音声信号処理手段１１２０に前記音声信号を入力する第２の選択手段が構成される。
【００７８】
また、減衰率変更手段５３００、第１の乗算手段５９０１、および第２の乗算手段５９０２によって、第２の音声信号処理手段１１２０によって生成された処理音声信号の振幅を予め所定値以下まで減衰させておき、第１の音声信号処理手段１１１０によって生成された処理音声信号の振幅を予め決められた時間に亘って所定値以下まで減衰させるとともに、第２の音声信号処理手段１１２０によって生成された処理音声信号の振幅を予め決められた時間に亘って減衰前の振幅まで復元させる振幅変更手段が構成される。
【００７９】
ここで、処理音声信号とは、音声信号処理手段によって所定の信号処理が施された音声信号のことである。また、減衰率値とは、処理音声信号の振幅に乗算される減衰率の値である。
また、図５において、複数の音声信号処理手段は、第１の音声信号処理手段１１１０、および第２の音声信号処理手段１１２０として図示されている。
【００８０】
入力端子５００１は、外部装置によって出力された音声情報を含む音声信号を入力とし、入力された音声信号を第１の音声信号処理接続手段５２０１と第３の音声信号処理接続手段５２０３とに出力する。
【００８１】
第１の音声信号処理接続手段５２０１は、複数の音声信号処理手段の何れかを第２の音声信号処理接続手段５２０２と共に接続し、さらに、入力端子５００１経由の音声信号を入力とし、入力された音声信号を接続されている第１の音声信号処理手段１１１０に出力するための手段である。
【００８２】
第１の音声信号処理手段１１１０は、第１の音声信号処理接続手段５２０１によって出力された音声信号を入力とし、入力された音声信号に所定の信号処理を施して第１の処理音声信号を生成し、生成された第１の処理音声信号を第２の音声信号処理接続手段５２０２に出力するための手段である。
【００８３】
第２の音声信号処理接続手段５２０２は、複数の音声信号処理手段の何れかを第１の音声信号処理接続手段５２０１と共に接続し、さらに、接続されている第１の音声信号処理手段１１１０によって出力された第１の処理音声信号を入力とし、入力された第１の処理音声信号を第１の乗算手段５９０１に出力するための手段である。
【００８４】
なお、第１の音声信号処理手段１１１０と第１および第２の音声信号処理接続手段５２０１、５２０２との接続は、スイッチなどによって切換えられるのでもよいし、脱着可能な端子によって切換えられるのでもよい。
また、第１の乗算手段５９０１に入力されている減衰率の値が０である間に、第１の音声信号処理接続手段５２０１、および第２の音声信号処理接続手段５２０２は、音声信号処理手段との接続を切換えることができる。
【００８５】
第３の音声信号処理接続手段５２０３は、複数の音声信号処理手段の何れかを第４の音声信号処理接続手段５２０４と共に接続し、さらに、入力端子５００１経由の音声信号を入力とし、入力された音声信号を接続されている第２の音声信号処理手段１１２０に出力するための手段である。
【００８６】
第２の音声信号処理手段１１２０は、第１の音声信号処理接続手段５２０３によって出力された音声信号を入力とし、入力された音声信号に所定の信号処理を施して第２の処理音声信号を生成し、生成された第２の処理音声信号を第４の音声信号処理接続手段５２０４に出力するための手段である。
【００８７】
第４の音声信号処理接続手段５２０４は、複数の音声信号処理手段の何れかをを第３の音声信号処理接続手段５２０３と共に接続し、さらに、接続されている第２の音声信号処理手段１１２０によって出力された第２の処理音声信号を入力とし、入力された第２の処理音声信号を第２の乗算手段５９０２に出力するための手段である。
【００８８】
なお、第２の音声信号処理手段１１２０と第３および第４の音声信号処理接続手段５２０３、５２０４との接続は、スイッチなどによって切換えられるのでもよいし、脱着可能な端子によって切換えられるのでもよい。
また、第２の乗算手段５９０２に入力されている減衰率の値が０である間に、第３の音声信号処理接続手段５２０３、および第４の音声信号処理接続手段５２０４は、音声信号処理手段との接続を切換えることができる。
【００８９】
減衰率変更手段５３００は、第２の音声信号処理接続手段５２０２によって出力された第１の処理音声信号の振幅を変化させるための第１の減衰率値と第４の音声信号処理接続手段５２０４によって出力された第２の処理音声信号の振幅を変化させるための第２の減衰率値とを出力するための手段である。
【００９０】
ここで、各減衰率値は、出力端子５００２によって出力される信号が、第１の処理音声信号であるか、または第２の処理音声信号であるかの指定に応じて変更される。
出力端子５００２によって出力される信号が第１の処理音声信号である場合に、減衰率変更手段５３００は、第１の減衰率値として１を出力し、第２の減衰率値として０を出力する。
【００９１】
出力端子５００２によって出力される信号が第２の処理音声信号である場合に、減衰率変更手段５３００は、第１の減衰率値として０を出力し、第２の減衰率値として１を出力する。
また、上記の出力端子５００２によって出力される音声信号が第１の処理音声信号であるか、または第２の処理音声信号であるかの指定（以下、出力指定という。）は、外部装置によって行われるものとする。
【００９２】
上記のような減衰率変更手段５３００の動作を実現するために、減衰率変更手段５３００は、例えば、第１の減衰率調整手段５３１０と第２の減衰率調整手段５３２０によって構成され、第１の減衰率調整手段５３１０は、第１のゲインデータ出力手段５３１１と第１の積分手段５３１２とを有し、第２の減衰率調整手段５３２０は、第２のゲインデータ出力手段５３２１と第１の積分手段５３２２とを有する。
以下、上記の減衰率変更手段５３００の構成例に基づいて、減衰率変更手段５３００の動作の詳細を説明する。
【００９３】
第１のゲインデータ出力手段５３１１は、外部装置による出力指定において第１の処理音声信号が指定されたときに、ゲインデータ１を第１の積分手段５３１２に出力するための手段である。
また、第１のゲインデータ出力手段５３１１は、外部装置による出力指定において第２の処理音声信号が指定されたときに、ゲインデータ０を第１の積分手段５３１２に出力する。
【００９４】
第１の積分手段５３１２は、第１のゲインデータ出力手段５３１１によって出力されたゲインデータ１、またはゲインデータ０を入力とし、入力されたゲインデータ（以下、第１の入力値という。）と第１の蓄積値とに基づいて、第１の減衰率値を演算し、演算によって得られた第１の減衰率値を第１の乗算手段５９０１に出力するための手段である。
ここで、第１の蓄積値とは、入力値が入力される一単位時間前に、第１の積分手段５３１２によって第１の減衰率値として出力された値のことである。
【００９５】
なお、第１の減衰率値は、第１の入力値が入力されてから一単位時間毎に変更され、第１の蓄積値から第１の入力値まで所定の時間かけて変更される。
また、第１の積分手段５３１２は、図２に示すような構成によって実現される。なお、図２の詳細な説明は、本発明の第１の実施の形態の説明において行っているため、ここではその説明を省略する。
【００９６】
第２のゲインデータ出力手段５３２１は、外部装置による出力指定において第１の処理音声信号が指定されたときに、ゲインデータ０を第２の積分手段５３２２に出力するための手段である。
また、第２のゲインデータ出力手段５３２１は、外部装置による出力指定において第２の処理音声信号が指定されたときに、ゲインデータ１を第２の積分手段５３２２に出力する。
【００９７】
第２の積分手段５３２２は、第２のゲインデータ出力手段５３２１によって出力されたゲインデータ１、またはゲインデータ０を入力とし、入力されたゲインデータ（以下、第２の入力値という。）と第２の蓄積値とに基づいて、第２の減衰率値を演算し、演算によって得られた第２の減衰率値を第２の乗算手段５９０２に出力するための手段である。
ここで、第２の蓄積値とは、入力値が入力される一単位時間前に、第２の積分手段５３２２によって第２の減衰率値として出力された値のことである。
【００９８】
なお、第２の減衰率値は、第２の入力値が入力されてから一単位時間毎に変更され、第２の蓄積値から第２の入力値まで所定の時間かけて変更される。
また、第２の積分手段５３２２は、図２に示すような構成によって実現される。なお、図２の詳細な説明は、本発明の第１の実施の形態の説明において行っているため、ここではその説明を省略する。
【００９９】
第１の乗算手段５９０１は、第２の音声信号処理接続手段５２０２によって出力された第１の処理音声信号と５３００によって出力された第１の減衰率値とを入力として、入力された第１の処理音声信号と入力された第１の減衰率値とに基づいて、振幅に第１の減衰率値が乗算された第１の処理音声信号（以下、第３の処理音声信号という。）を生成してミキシング手段５９０３に出力するための手段である。
なお、第１の減衰率値が０である場合、第３の処理音声信号は、振幅が０の信号となる。また、第１の減衰率が１である場合、第３の処理音声信号は、第１の処理音声信号と同一になる。
【０１００】
第２の乗算手段５９０２は、第４の音声信号処理接続手段５２０４によって出力された第２の処理音声信号と５３００によって出力された第２の減衰率値とを入力として、入力された第２の処理音声信号と入力された第２の減衰率値とに基づいて、振幅に第２の減衰率値が乗算された第２の処理音声信号（以下、第４の処理音声信号という。）を生成してミキシング手段５９０３に出力するための手段である。
なお、第２の減衰率値が０である場合、第４の処理音声信号は、振幅が０の信号となる。また、第２の減衰率が１である場合、第４の処理音声信号は、第２の処理音声信号と同一になる。
【０１０１】
ミキシング手段５９０３は、第１の乗算手段５９０１によって出力された第３の処理音声信号と第２の乗算手段５９０２によって出力された第４の処理音声信号とを入力とし、入力された第３の処理音声信号と第４の処理音声信号とが合成された音声信号（以下、合成音声信号という。）を生成し、生成された合成音声信号を出力端子５００２に出力するための手段である。
出力端子５００２は、ミキシング手段５９０３によって出力された合成音声信号を入力として、入力された合成音声信号を外部装置に出力する。
【０１０２】
以下、本発明の第４の実施の形態の音声信号処理切換方法における、出力端子５００２の出力信号を変更する処理の詳細について説明する。
ここでは、外部装置による出力指定において、出力端子５００２の出力が第１の処理音声信号から第２の処理音声信号に変更された場合を例に説明する。
なお、説明に先立ち、減衰率変更手段５３００は、第１の減衰率値として１を、第２の減衰率値として０を出力しており、出力端子５００２は、振幅が保持された第１の処理音声信号を出力している。
【０１０３】
第１のゲインデータ出力手段５３１１は、外部装置による出力指定に応じて、ゲインデータ０を第１の積分手段５３１２に出力する（第１ステップ）。
第２のゲインデータ出力手段５３２１は、外部装置による出力指定に応じて、ゲインデータ１を第２の積分手段５３２２に出力する（第２ステップ）。
なお、上記の第１ステップ、および第２ステップは、同時に行われる。
【０１０４】
第１の積分手段５３１２は、減衰率値を１から０に一単位時間毎に変化させながら第１の乗算手段５９０１に出力する（第３ステップ）。
第２の積分手段５３２２は、減衰率値を０から１に一単位時間毎に変化させながら第２の乗算手段５９０２に出力する（第４ステップ）。
【０１０５】
第１の乗算手段５９０１は、第２の音声信号処理接続手段５２０２によって出力された第１の処理音声信号の振幅に、第１の積分手段５３１２によって出力された減衰率を乗算して、一単位時間毎に第１の処理音声信号の振幅を減衰させる（第５ステップ）。
第２の乗算手段５９０２は、第４の音声信号処理接続手段５２０４によって出力された第２の処理音声信号の振幅に、第２の積分手段５３２２によって出力された減衰率を乗算して、一単位時間毎に第２の処理音声信号の振幅を復元させる（第６ステップ）。
【０１０６】
なお、上記の第３ステップ、第４ステップ、第５ステップ、および第６ステップは、同時に行われる。また、所定の時間が経過した後に、第１の乗算手段５９０１は、振幅０の第１の処理音声信号を出力し、第２の乗算手段５９０２は、振幅が変更されていない第２の処理音声信号を出力することによって、出力端子５００２によって出力される音声信号は、第２の処理音声信号となる。
【０１０７】
なお、本発明の第４の実施の形態の音声信号処理切換装置５０００は、デジタル信号処理装置（Ｄｉｇｉｔａｌ　Ｓｉｇｎａｌ　Ｐｒｏｃｅｓｓｏｒ、ＤＳＰ）の一部分として用いられてもよい。
【０１０８】
以上説明したように、本発明の第４の実施の形態の音声信号処理切換装置および音声信号処理切換方法は、音声信号処理手段によって処理された音声信号の振幅の減衰率を徐々に変化させて出力するために、各音声信号処理手段の信号処理に要する処理時間の差に起因する音声信号処理手段の切換時の切換ノイズを削減でき、さらに、振幅の不連続および周波数特性の不連続によるクリックノイズを削減することができる。
【０１０９】
図６は、本発明の第５の実施の形態の音声信号処理切換装置６０００の概略ののブロック構成を示す図である。
音声信号処理切換装置６０００は、外部装置から音声情報を含む音声信号を入力する入力端子５００１、音声信号に所定の信号処理を施す複数の音声信号処理手段、複数の音声信号処理手段の何れかが接続される第１の音声信号処理接続手段５２０１、および第２の音声信号処理接続手段５２０２、複数の音声信号処理手段の何れかが接続される第３の音声信号処理接続手段５２０３、および第４の音声信号処理接続手段５２０４、第２の音声信号処理接続手段５２０２によって出力された処理音声信号の振幅を変化させるための第１の減衰率値と第４の音声信号処理接続手段５２０４によって出力された処理音声信号の振幅を変化させるための第２の減衰率値とを出力する減衰率変更手段６３００、第２の音声信号処理接続手段５２０２によって出力された処理音声信号の振幅に減衰率を乗算する第１の乗算手段５９０１、第４の音声信号処理接続手段５２０４によって出力された処理音声信号の振幅に減衰率を乗算する第２の乗算手段５９０２、第１の乗算手段によって出力された信号と第２の乗算手段によって出力された信号とを加算して出力するミキシング手段５９０３と、およびミキシング手段５９０３によって出力された信号を外部装置に出力する出力端子５００２によって構成される。
【０１１０】
なお、第１の音声信号処理接続手段５２０１、および第２の音声信号処理接続手段５２０２によって、複数の音声信号処理手段の何れか１つである第１の音声信号処理手段に前記音声信号を入力する第１の選択手段が構成される。
また、第３の音声信号処理接続手段５２０３、および第４の音声信号処理接続手段５２０４によって、複数の音声信号処理手段のうちの前記第１の音声信号処理手段１１１０を除く何れか１つである第２の音声信号処理手段１１２０に前記音声信号を入力する第２の選択手段が構成される。
【０１１１】
また、減衰率変更手段６３００、第１の乗算手段５９０１、および第２の乗算手段５９０２によって、第２の音声信号処理手段によって生成された処理音声信号の振幅を予め所定値以下まで減衰させておき、第１の音声信号処理手段１１１０によって生成された処理音声信号の振幅を予め決められた時間に亘って所定値以下まで減衰させるとともに、第２の音声信号処理手段１１２０によって生成された処理音声信号の振幅を予め決められた時間に亘って減衰前の振幅まで復元させる振幅変更手段が構成される。
【０１１２】
ここで、処理音声信号とは、音声信号処理手段によって所定の信号処理が施された音声信号のことである。また、減衰率値とは、処理音声信号の振幅に乗算される減衰率の値である。
また、図６において、複数の音声信号処理手段は、第１の音声信号処理手段１１１０、および第２の音声信号処理手段１１２０として図示されている。
【０１１３】
また、本発明の第５の実施の形態の音声信号処理切換装置６０００を構成する構成手段のうち、上記本発明の第４の実施の形態の音声信号処理切換装置５０００における構成手段と同様の処理を行うものには同一の符号を付し、その説明を省略する。
【０１１４】
減衰率変更手段６３００は、第２の音声信号処理接続手段５２０２によって出力された第１の処理音声信号の振幅を変化させるための第１の減衰率値と第４の音声信号処理接続手段５２０４によって出力された第２の処理音声信号の振幅を変化させるための第２の減衰率値とを出力するための手段である。
【０１１５】
ここで、各減衰率値は、出力端子５００２によって出力される信号が、第１の処理音声信号であるか、または第２の処理音声信号であるかの指定に応じて変更される。
出力端子５００２によって出力される信号が第１の処理音声信号である場合に、減衰率変更手段６３００は、第１の減衰率値として１を出力し、第２の減衰率値として０を出力する。
【０１１６】
出力端子５００２によって出力される信号が第２の処理音声信号である場合に、減衰率変更手段６３００は、第１の減衰率値として０を出力し、第２の減衰率値として１を出力する。
また、上記の出力端子５００２によって出力される音声信号が第１の処理音声信号であるか、または第２の処理音声信号であるかの指定（以下、出力指定という。）は、外部装置によって行われるものとする。
【０１１７】
上記のような減衰率変更手段６３００の動作を実現するために、減衰率変更手段６３００は、例えば、減衰率調整手段６３１０、負符号乗算手段６３３０、加算手段６３４０、固定値出力手段６３５０によって構成される。
減衰率調整手段６３１０は、ゲインデータ手段６３１１と積分手段６３１２によって構成される。以下、上記の構成に基づいて、減衰率調整手段６３１０の動作の詳細を説明する。
【０１１８】
ゲインデータ出力手段６３１１は、外部装置による出力指定において第１の処理音声信号が指定されたときに、ゲインデータ０を積分手段６３１２に出力するための手段である。
また、ゲインデータ出力手段６３１１は、外部装置による出力指定において第２の処理音声信号が指定されたときに、ゲインデータ１を積分手段６３１２に出力する。
【０１１９】
積分手段６３１２は、ゲインデータ出力手段６３１２によって出力されたゲインデータ１、またはゲインデータ０を入力とし、入力されたゲインデータ（以下、入力値という。）と蓄積値とに基づいて、第２の減衰率値を演算し、演算によって得られた第２の減衰率値を第２の乗算手段５９０２に出力するための手段である。
ここで、蓄積値とは、入力値が入力される一単位時間前に、積分手段６３１２によって第２の減衰率値として出力された値のことである。
【０１２０】
なお、第２の減衰率値は、入力値が入力されてから一単位時間毎に変更され、蓄積値から入力値まで所定の時間かけて変更される。
また、積分手段６３１２は、図２に示すような構成によって実現される。なお、図２の詳細な説明は、本発明の第１の実施の形態の説明において行っているため、ここではその説明を省略する。
【０１２１】
負符号乗算手段６３３０は、減衰率調整手段６３１０によって出力された第２の減衰率値を入力とし、入力された第２の減衰率値に負符号を付与し、負符号が付与された第２の減衰率値を加算手段６３４０に出力するための手段である。
【０１２２】
固定値出力手段６３５０は、数値１を加算手段６３４０に出力するための手段である。
加算手段６３４０は、負符号乗算手段６３３０によって出力された負符号が付与された第２の減衰率値と固定値出力手段６３５０によって出力されたゲインデータ１を入力として、入力された負符号が付与された第２の減衰率値とゲインデータ１とを加算して第１の減衰率値を生成し、生成された第１の減衰率値を第１の乗算手段５９０１に出力するための手段である。
上記の構成により、第１の減衰率値と第２の減衰率値との合計値は、常に１となる。
【０１２３】
なお、本発明の第５の実施の形態の音声信号処理切換装置６０００は、デジタル信号処理装置（Ｄｉｇｉｔａｌ　Ｓｉｇｎａｌ　Ｐｒｏｃｅｓｓｏｒ、ＤＳＰ）の一部分として用いられてもよい。
【０１２４】
以上説明したように、本発明の第５の実施の形態の音声信号処理切換装置は、音声信号処理手段によって処理された音声信号の振幅の減衰率を排他的に変化させて出力するために、各音声信号処理手段の信号処理に要する処理時間の差に起因する音声信号処理手段の切換時の切換ノイズを削減でき、さらに、振幅の不連続および周波数特性の不連続によるクリックノイズを削減することができる。
【０１２５】
図７は、本発明の第６の実施の形態の音声信号処理切換装置７０００の概略ののブロック構成を示す図である。
音声信号処理切換装置７０００は、外部装置から音声情報を含む音声信号を入力する入力端子５００１、音声信号に所定の信号処理を施す複数の音声信号処理手段、複数の音声信号処理手段の何れかを接続する第１の音声信号処理接続手段５２０１、および第２の音声信号処理接続手段５２０２、複数の音声信号処理手段の何れかを接続する第３の音声信号処理接続手段５２０３、および第４の音声信号処理接続手段５２０４、第２の音声信号処理接続手段５２０２によって出力された処理音声信号の振幅を変化させるための第１の減衰率値と第４の音声信号処理接続手段５２０４によって出力された処理音声信号の振幅を変化させるための第２の減衰率値とを出力する減衰率変更手段７３００、第２の音声信号処理接続手段５２０２によって出力された処理音声信号の振幅に減衰率を乗算する第１の乗算手段５９０１、第４の音声信号処理接続手段５２０４によって出力された処理音声信号の振幅に減衰率を乗算する第２の乗算手段５９０２、第１の乗算手段５９０１によって出力された信号と第２の乗算手段５９０２によって出力された信号とを加算して出力するミキシング手段５９０３と、およびミキシング手段５９０３によって出力された信号を外部装置に出力する出力端子５００２によって構成される。
【０１２６】
なお、第１の音声信号処理接続手段５２０１、および第２の音声信号処理接続手段５２０２によって、複数の音声信号処理手段の何れか１つである第１の音声信号処理手段１１１０に前記音声信号を入力する第１の選択手段が構成される。また、第３の音声信号処理接続手段５２０３、および第４の音声信号処理接続手段５２０４によって、複数の音声信号処理手段のうちの前記第１の音声信号処理手段を除く何れか１つである第２の音声信号処理手段１１２０に前記音声信号を入力する第２の選択手段が構成される。
【０１２７】
また、減衰率変更手段７３００、第１の乗算手段５９０１、および第２の乗算手段５９０２によって、第２の音声信号処理手段１１２０によって生成された処理音声信号の振幅を予め所定値以下まで減衰させておき、第１の音声信号処理手段１１１０によって生成された処理音声信号の振幅を予め決められた時間に亘って所定値以下まで減衰させるとともに、第２の音声信号処理手段１１２０によって生成された処理音声信号の振幅を予め決められた時間に亘って減衰前の振幅まで復元させる振幅変更手段が構成される。
【０１２８】
ここで、処理音声信号とは、音声信号処理手段によって所定の信号処理が施された音声信号のことである。また、減衰率値とは、処理音声信号の振幅に乗算される減衰率の値である。
また、図７において、複数の音声信号処理手段は、第１の音声信号処理手段１１１０、および第２の音声信号処理手段１１２０として図示されている。
【０１２９】
また、本発明の第６の実施の形態の音声信号処理切換装置７０００を構成する構成手段のうち、上記本発明の第４の実施の形態の音声信号処理切換装置５０００における構成手段と同様の処理を行うものには同一の符号を付し、その説明を省略する。
【０１３０】
減衰率変更手段７３００は、第２の音声信号処理接続手段５２０２によって出力された第１の処理音声信号の振幅を変化させるための第１の減衰率値と第４の音声信号処理接続手段５２０４によって出力された第２の処理音声信号の振幅を変化させるための第２の減衰率値とを交互に出力するための手段である。
【０１３１】
ここで、各減衰率値は、出力端子５００２によって出力される信号が、第１の処理音声信号であるか、または第２の処理音声信号であるかの指定に応じて変更される。
出力端子５００２によって出力される信号が第１の処理音声信号である場合に、減衰率変更手段７３００は、第１の減衰率値として１を出力し、第２の減衰率値として０を出力する。
【０１３２】
出力端子５００２によって出力される信号が第２の処理音声信号である場合に、減衰率変更手段７３００は、第１の減衰率値として０を出力し、第２の減衰率値として１を出力する。
また、上記の出力端子５００２によって出力される音声信号が第１の処理音声信号であるか、または第２の処理音声信号であるかの指定（以下、出力指定という。）は、外部装置によって行われるものとする。
【０１３３】
上記のような減衰率変更手段７３００の動作を実現するために、減衰率変更手段７３００は、例えば、減衰率調整手段７３１０、出力先切換手段７３６０、およびデータ検出手段７３７０によって構成される。
減衰率調整手段７３１０は、ゲインデータ手段７３１１と積分手段７３１２とによって構成される。以下、上記の構成に基づいて、減衰率調整手段７３１０の動作の詳細を説明する。
【０１３４】
ゲインデータ出力手段７３１１は、データ検出手段７３７０によって出力されたゲインデータを入力として、入力されたゲインデータを積分手段７３１２に出力するための手段である。
【０１３５】
積分手段７３１２は、ゲインデータ出力手段７３１１によって出力されたゲインデータを入力とし、入力されたゲインデータ（以下、入力値という。）と蓄積値とに基づいて、減衰率値を演算し、演算によって得られた減衰率値を出力先切換手段７３６０経由でデータ検出手段７３７０に出力するための手段である。
また、積分手段７３１２は、演算によって得られた減衰率値を出力先切換手段７３６０経由で第１の乗算手段５９０１、または第２の乗算手段５９０２の何れかに出力する。
【０１３６】
ここで、蓄積値とは、入力値が入力される一単位時間前に、積分手段７３１２によって減衰率値として出力された値のことである。
なお、減衰率値は、入力値が入力されてから一単位時間毎に変更され、蓄積値から入力値まで所定の時間かけて変更される。
また、積分手段７３１２は、図２に示すような構成によって実現される。なお、図２の詳細な説明は、本発明の第１の実施の形態の説明において行っているため、ここではその説明を省略する。
【０１３７】
出力先切換手段７３６０は、減衰率調整手段７３１０に接続された端子（以下、積分手段側端子という。）と、第１の乗算手段５９０１とデータ検出手段７３７０とに接続された端子（以下、第１乗算手段側端子という。）と、第２の乗算手段５９０２とデータ検出手段７３７０とに接続された端子（以下、第２乗算手段側端子という。）と、データ検出手段７３７０に接続された端子（以下、データ検出手段７３７０側端子という。）とを有し、データ検出手段７３７０によって出力される接続を切換える旨の信号（以下、接続切換信号という。）に応じて、減衰率調整手段７３１０と第１の乗算手段５９０１、第２の乗算手段５９０２、またはデータ検出手段７３７０の何れかとの接続を切換えるための手段である。
【０１３８】
また、出力先切換手段７３６０は、減衰率調整手段７３１０によって出力された減衰率値を入力とし、入力された減衰率値をデータ検出手段７３７０に出力する。
また、出力先切換手段７３６０は、入力された減衰率値を第１の乗算手段５９０１、または第２の乗算手段５９０２の何れかに出力する。
【０１３９】
なお、本発明の第６の実施の形態において、第１の乗算手段５９０１に出力される減衰率値のことを第１の減衰率値といい、第２の乗算手段５９０２に出力される減衰率値のことを第２の減衰率値という。
また、第１の乗算手段５９０１、または、第２の乗算手段５９０２に入力される減衰率値は、出力先切換手段７３６０によって各接続が切換えられた後も、新たな減衰率値が入力されるまで保持される。
【０１４０】
データ検出手段７３７０は、出力先切換手段７３６０によって出力された減衰率値を入力とし、入力された減衰率値に応じて、ゲインデータを減衰率調整手段７３１０に出力し、接続切換信号を出力先切換手段７３６０に出力するための手段である。
ここで、データ検出手段７３７０によって行われるゲインデータの出力と接続切換信号の出力は、予め設定された順序に基づいて行われる。
【０１４１】
以下の説明では、出力指定において、出力端子５００２によって出力される信号が第１の処理音声信号から第２の処理音声信号に変更された場合を例として、ゲインデータ、および接続切換信号がデータ検出手段７３７０によって出力される順序の流れと減衰率調整手段７３１０によって出力される減衰率値の変化の流れを説明する。
説明に先立ち、出力先切換手段７３６０は、積分手段側端子と第１乗算手段側端子とを接続し、減衰率調整手段７３１０は、減衰率値１を出力先切換手段７３６０経由で第１の乗算手段５９０１に出力しているものとする。
【０１４２】
データ検出手段７３７０は、ゲインデータ０．５を減衰率調整手段７３１０に出力する。
減衰率調整手段７３１０は、減衰率値を１から０．５に一単位時間ごとに変更しながら、減衰率値を出力先切換手段７３６０経由で第１の乗算手段５９０１とデータ検出手段７３７０とに出力する。
【０１４３】
データ検出手段７３７０は、減衰率値０．５を検出したときに、積分手段側端子とデータ検出手段７３７０側端子とを接続する旨の接続切換信号を出力先切換手段７３６０に出力する。このとき、第１の乗算手段５９０１に入力される減衰率値は、０．５に保持される。
データ検出手段７３７０は、ゲインデータ０を減衰率調整手段７３１０に出力する。
【０１４４】
減衰率調整手段７３１０は、減衰率値を０．５から０に一単位時間ごとに変更しながら、減衰率値を出力先切換手段７３６０経由でデータ検出手段７３７０に出力する。
データ検出手段７３７０は、減衰率値０を検出したときに、積分手段側端子と第２乗算手段側端子とを接続する旨の接続切換信号を出力先切換手段７３６０に出力する。
【０１４５】
データ検出手段７３７０は、ゲインデータ０．５を減衰率調整手段７３１０に出力する。
減衰率調整手段７３１０は、減衰率値を０から０．５に一単位時間ごとに変更しながら、減衰率値を出力先切換手段７３６０経由で第２の乗算手段５９０２とデータ検出手段７３７０とに出力する。
【０１４６】
データ検出手段７３７０は、減衰率値０．５を検出したときに、積分手段側端子と第１乗算手段側端子とを接続する旨の接続切換信号を出力先切換手段７３６０に出力する。このとき、第２の乗算手段５９０２に入力される減衰率値は、０．５に保持される。
【０１４７】
データ検出手段７３７０は、ゲインデータ０を減衰率調整手段７３１０に出力する。
減衰率調整手段７３１０は、減衰率値を０．５から０に一単位時間ごとに変更しながら、減衰率値を出力先切換手段７３６０経由で第１の乗算手段５９０１とデータ検出手段７３７０とに出力する。
【０１４８】
データ検出手段７３７０は、減衰率値０を検出したときに、積分手段側端子とデータ検出手段７３７０側端子とを接続する旨の接続切換信号を出力先切換手段７３６０に出力する。このとき、第１の乗算手段５９０１に入力される減衰率値は、０に保持される。
【０１４９】
データ検出手段７３７０は、ゲインデータ０．５を減衰率調整手段７３１０に出力する。
データ検出手段７３７０は、減衰率値０．５を検出したときに、積分手段側端子と第２乗算手段側端子とを接続する旨の接続切換信号を出力先切換手段７３６０に出力する。
【０１５０】
データ検出手段７３７０は、ゲインデータ１を減衰率調整手段７３１０に出力する。
減衰率調整手段７３１０は、減衰率値を０．５から１に一単位時間ごとに変更しながら、減衰率値を出力先切換手段７３６０経由で第２の乗算手段５９０２とデータ検出手段７３７０とに出力する。
【０１５１】
なお、出力端子５００２によって出力される音声信号が第１の処理音声信号から第２の処理音声信号に変更される場合は、出力先切換手段７３６０によって出力される接続切換信号の示す接続先を、第１乗算手段側端子については第２乗算手段側端子と読み替え、第２乗算手段側端子については第１乗算手段側端子と読み替えることによって説明できる。
【０１５２】
なお、本発明の第６の実施の形態の音声信号処理切換装置７０００は、デジタル信号処理装置（Ｄｉｇｉｔａｌ　Ｓｉｇｎａｌ　Ｐｒｏｃｅｓｓｏｒ、ＤＳＰ）の一部分として用いられてもよい。
【０１５３】
以上説明したように、本発明の第６の実施の形態の音声信号処理切換装置は、音声信号処理手段によって処理された音声信号の振幅の減衰率を交互に変化させて出力するために、各音声信号処理手段の信号処理に要する処理時間の差に起因する音声信号処理手段の切換時の切換ノイズを削減でき、さらに、振幅の不連続および周波数特性の不連続によるクリックノイズを削減することができる。
【０１５４】
図８は、本発明の第７の実施の形態の音声信号処理切換装置８０００の概略ののブロック構成を示す図である。
音声信号処理切換装置８０００は、外部装置から音声情報を含む音声信号を入力する入力端子８００１、音声信号に所定の信号処理を施す複数の音声信号処理手段、複数の音声信号処理手段の何れかを接続する第１の音声信号処理接続手段８２０１、および第２の音声信号処理接続手段８２０２、複数の音声信号処理手段の何れかを接続する第３の音声信号処理接続手段８２０３、および第４の音声信号処理接続手段８２０４、第２の音声信号処理接続手段８２０２によって出力された処理音声信号の振幅の変更する第１の振幅減衰手段８５１０、第４の音声信号処理接続手段８２０４によって出力された処理音声信号の振幅を変更する第２の振幅減衰手段８５２０、第１の振幅減衰手段８５１０によって出力された信号と第２の振幅減衰手段８５２０によって出力された信号とを加算して出力するミキシング手段８９０３と、およびミキシング手段８９０３によって出力された信号を外部装置に出力する出力端子８００２によって構成される。
【０１５５】
なお、第１の音声信号処理接続手段８２０１、および第２の音声信号処理接続手段８２０２によって、複数の音声信号処理手段の何れか１つである第１の音声信号処理手段１１１０に前記音声信号を入力する第１の選択手段が構成される。また、第３の音声信号処理接続手段８２０３、および第４の音声信号処理接続手段８２０４によって、複数の音声信号処理手段のうちの前記第１の音声信号処理手段を除く何れか１つである第２の音声信号処理手段１１２０に前記音声信号を入力する第２の選択手段が構成される。
【０１５６】
また、第１の振幅減衰手段８５１０、および第２の振幅減衰手段８５２０によって、第２の音声信号処理手段１１２０によって生成された処理音声信号の振幅を予め所定値以下まで減衰させておき、第１の音声信号処理手段１１１０によって生成された処理音声信号の振幅を予め決められた時間に亘って所定値以下まで減衰させるとともに、第２の音声信号処理手段１１２０によって生成された処理音声信号の振幅を予め決められた時間に亘って減衰前の振幅まで復元させる振幅変更手段が構成される。
【０１５７】
ここで、処理音声信号とは、音声信号処理手段によって所定の信号処理が施された音声信号のことである。
また、図８において、複数の音声信号処理手段は、第１の音声信号処理手段１１１０、および第２の音声信号処理手段１１２０として図示されている。
【０１５８】
入力端子８００１は、外部装置によって出力された音声情報を含む音声信号を入力とし、入力された音声信号を第１の音声信号処理接続手段８２０１と第３の音声信号処理接続手段８２０３とに出力する。
【０１５９】
第１の音声信号処理接続手段８２０１は、複数の音声信号処理手段の何れかを接続を第２の音声信号処理接続手段８２０２と共に接続し、さらに、入力端子８００１経由の音声信号を入力とし、入力された音声信号を接続されている第１の音声信号処理手段１１１０に出力するための手段である。
【０１６０】
第１の音声信号処理手段１１１０は、第１の音声信号処理接続手段８２０１によって出力された音声信号を入力とし、入力された音声信号に所定の信号処理を施して第１の処理音声信号を生成し、生成された第１の処理音声信号を第２の音声信号処理接続手段８２０２に出力するための手段である。
【０１６１】
第２の音声信号処理接続手段８２０２は、複数の音声信号処理手段との接続を第１の音声信号処理接続手段８２０１と共に切換え、さらに、接続されている第１の音声信号処理手段１１１０によって出力された第１の処理音声信号を入力とし、入力された第１の処理音声信号を第１の振幅減衰手段８５１０に出力するための手段である。
【０１６２】
なお、第１の音声信号処理手段１１１０と第１および第２の音声信号処理接続手段８２０１、８２０２との接続は、スイッチなどによって切換えられるのでもよいし、脱着可能な端子によって切換えられるのでもよい。
また、第１の振幅減衰手段８５１０によって振幅０の電気信号が出力されている間に、第１の音声信号処理接続手段８２０１、および第２の音声信号処理接続手段８２０２は、音声信号処理手段との接続を切換えることができる。
【０１６３】
第３の音声信号処理接続手段８２０３は、複数の音声信号処理手段の何れかを第４の音声信号処理接続手段８２０４と共に接続し、さらに、入力端子８００１経由の音声信号を入力とし、入力された音声信号を接続されている第２の音声信号処理手段１１２０に出力するための手段である。
【０１６４】
第２の音声信号処理手段１１２０は、第１の音声信号処理接続手段８２０３によって出力された音声信号を入力とし、入力された音声信号に所定の信号処理を施して第２の処理音声信号を生成し、生成された第２の処理音声信号を第４の音声信号処理接続手段８２０４に出力するための手段である。
【０１６５】
第４の音声信号処理接続手段８２０４は、複数の音声信号処理手段の何れかを接続を第３の音声信号処理接続手段８２０３と共に接続し、さらに、接続されている第２の音声信号処理手段１１２０によって出力された第２の処理音声信号を入力とし、入力された第２の処理音声信号を第２の振幅減衰手段８５２０に出力するための手段である。
【０１６６】
なお、第２の音声信号処理手段１１２０と第３および第４の音声信号処理接続手段８２０３、８２０４との接続は、スイッチなどによって切換えられるのでもよいし、脱着可能な端子によって切換えられるのでもよい。
また、第２の振幅減衰手段８５２０によって振幅０の電気信号が出力されている間に、第３の音声信号処理接続手段８２０４、および第４の音声信号処理接続手段８２０４は、音声信号処理手段との接続を切換えることができる。
【０１６７】
第１の振幅減衰手段８５１０は、例えば、第１の右１ビットシフト手段８５１１、第１の右２ビットシフト手段８５１２、第１の０振幅信号出力手段８５１３、第１の信号切換手段８５１４によって構成され、第１の処理音声信号の振幅を変更する手段である。
【０１６８】
第１の右１ビットシフト手段８５１１は、第１の処理音声信号を入力とし、入力された第１の処理音声信号の振幅を右１ビットシフトすることによって半分にして第１の信号切換手段８５１４経由でミキシング手段８９０３に出力するための手段である
【０１６９】。
第１の右２ビットシフト手段８５１２は、第１の処理音声信号を入力とし、入力された第１の処理音声信号の振幅を右２ビットシフトすることによって四分の１にして第１の信号切換手段８５１４経由でミキシング手段８９０３に出力するための手段である。
【０１７０】
第１の０振幅信号出力手段８５１３は、第１の処理音声信号を入力とし、入力された第１の処理音声信号の振幅を０にして第１の信号切換手段８５１４経由でミキシング手段８９０３に出力するための手段である。
【０１７１】
第１の信号切換手段８５１４は、第２の音声信号処理接続手段８２０２に接続された端子と、第１の右１ビットシフト手段８５１１に接続された端子と、第１の右２ビットシフト手段８５１２に接続された端子と、第１の０振幅信号出力手段８５１３に接続された端子と、ミキシング手段８９０３に接続された端子とを有し、第２の音声信号処理接続手段８２０２、第１の右１ビットシフト手段８５１１、第１の右２ビットシフト手段８５１２、または第１の０振幅信号出力手段８５１３の何れかとミキシング手段８９０３とを接続するための手段である。
【０１７２】
なお、第１の信号切換手段８５１４は、出力端子８００２によって出力される信号の指定（以下、出力指定という。）が第２の処理音声信号から第１の処理音声信号に変更されたときに、ミキシング手段８９０３との接続を、第１の０振幅信号出力手段８５１３、第１の右２ビットシフト手段８５１２、第１の右１ビットシフト手段８５１１、第２の音声信号処理接続手段８２０２、の順序で切換える。
ここで、出力指定は、外部の装置によって行われるものである。
【０１７３】
また、第１の信号切換手段８５１４は、出力指定が第１の処理音声信号から第２の処理音声信号に変更されたときに、ミキシング手段８９０３との接続を、第２の音声信号処理接続手段８２０２、第１の右１ビットシフト手段８５１１、第１の右２ビットシフト手段８５１２、第１の０振幅信号出力手段８５１３、の順序で切換える。
【０１７４】
第２の振幅減衰手段８５２０は、例えば、第２の右１ビットシフト手段８５２１、第２の右２ビットシフト手段８５２２、第２の０振幅信号出力手段８５２３、第２の信号切換手段８５２４によって構成され、第２の処理音声信号の振幅を変更するための手段である。
【０１７５】
第２の右１ビットシフト手段８５２１は、第１の処理音声信号を入力とし、入力された第２の処理音声信号の振幅を右１ビットシフトすることによって半分にして第２の信号切換手段８５２４経由でミキシング手段８９０３に出力するための手段である。
【０１７６】
第２の右２ビットシフト手段８５２２は、第２の処理音声信号を入力とし、入力された第２の処理音声信号の振幅を右２ビットシフトすることによって４分の１にして第２の信号切換手段８５２４経由でミキシング手段８９０３に出力するための手段である。
【０１７７】
第２の０振幅信号出力手段８５２３は、第１の処理音声信号を入力とし、入力された第２の処理音声信号の振幅を０にして第２の信号切換手段８５２４経由でミキシング手段８９０３に出力するための手段である。
【０１７８】
第２の信号切換手段８５２４は、第４の音声信号処理接続手段８２０４に接続された端子と、第２の右１ビットシフト手段８５２１に接続された端子と、第２の右２ビットシフト手段８５２２に接続された端子と、第２の０振幅信号出力手段８５２３に接続された端子と、ミキシング手段８９０３に接続された端子とを有し、第４の音声信号処理接続手段８２０４、第２の右１ビットシフト手段８５２１、第１の右２ビットシフト手段８５２２、または第２の０振幅信号出力手段８５２３の何れかとミキシング手段８９０３とを接続するための手段である。
【０１７９】
なお、第２の信号切換手段８５２４は、出力指定が第１の処理音声信号から第２の処理音声信号に変更されたときに、ミキシング手段８９０３との接続を、第２の０振幅信号出力手段８５２３、第２の右２ビットシフト手段８５２２、第２の右１ビットシフト手段８５２１、第４の音声信号処理接続手段８２０４、の順序で切換える。
【０１８０】
また、第２の信号切換手段８５２４は、出力指定が第２の処理音声信号から第１の処理音声信号に変更されたときに、ミキシング手段８９０３との接続を、第４の音声信号処理接続手段８２０４、第２の右１ビットシフト手段８５２１、第２の右２ビットシフト手段８５２２、第２の０振幅信号出力手段８５２３、の順序で切換える。
ここで、各振幅減衰手段は、さらに、２以上の右ビットシフト手段を備えることによって、各処理音声信号の振幅を細かく減衰させてもよい。
【０１８１】
ミキシング手段８９０３は、第１の振幅減衰手段８５１０によって出力された第３の処理音声信号と第２の振幅減衰手段８５２０によって出力された第４の処理音声信号とを入力として、入力された第３の処理音声信号と第４の処理音声信号とをミキシングして出力端子８００２に出力するための手段である。
【０１８２】
出力手段８００２は、ミキシング手段８９０３によって出力された合成音声信号を入力として、入力された合成音声信号を外部装置に出力する。
【０１８３】
なお、本発明の第７の実施の形態の音声信号処理切換装置８０００は、デジタル信号処理装置（Ｄｉｇｉｔａｌ　Ｓｉｇｎａｌ　Ｐｒｏｃｅｓｓｏｒ、ＤＳＰ）の一部分として用いられてもよい。
【０１８４】
以上説明したように、本発明の第７の実施の形態の音声信号処理切換装置は、音声信号処理手段によって処理された音声信号の振幅を徐々に変化させて出力するために、各音声信号処理手段の信号処理に要する処理時間の差に起因する音声信号処理手段の切換時の切換ノイズを削減でき、さらに、振幅の不連続および周波数特性の不連続によるクリックノイズを削減することができる。
【０１８５】
【発明の効果】
以上説明したように、本発明は、音声信号処理手段の切換時に発生する切換ノイズを削減することが可能な音声信号処理切換装置、および音声信号処理切換方法を提供することができるものである。
【図面の簡単な説明】
【図１】本発明の第１の実施の形態の音声信号処理切換装置の概略のブロック構成を示す図
【図２】本発明の第１の実施の形態の音声信号処理切換装置における積分手段の概略のブロック構成例を図
【図３】本発明の第２の実施の形態の音声信号処理切換装置の概略のブロック構成を示す図
【図４】本発明の第３の実施の形態の音声信号処理切換装置の概略のブロック構成を示す図
【図５】本発明の第４の実施の形態の音声信号処理切換装置の概略のブロック構成を示す図
【図６】本発明の第５の実施の形態の音声信号処理切換装置の概略のブロック構成を示す図
【図７】本発明の第６の実施の形態の音声信号処理切換装置の概略のブロック構成を示す図
【図８】本発明の第７の実施の形態の音声信号処理切換装置の概略のブロック構成を示す図
【図９】従来の音声信号処理切換装置の概略のブロック構成を示す図
【符号の説明】
１０００、３０００、４０００、５０００、６０００、７０００、８０００、９０００音声信号処理切換装置
１００１、５００１、８００１、９００１　入力端子
１００２、５００２、８００２　９００２　出力端子
１０２１、５２０１、８２０１、９０２１　第１の音声信号処理接続手段
１０２２、５２０２、８２０２、９０２２　第２の音声信号処理接続手段
１０３０　音声信号遅延手段
１０３１　音声データ格納手段
１０３２　格納アドレス指定手段
１０３３　アドレスオフセット手段
１０３４　遅延時間変換手段
１０３５　積分手段
１０３６　減算手段
１０３７　読出アドレス指定手段
１０４０、９０４０　音声信号選択手段
１１１０、９１１０　第１の音声信号処理手段
１１２０、９１２０　第２の音声信号処理手段
２０９１　第１の乗算器
２０９２　加算器
２０９３　遅延手段
２０９４　第２の乗算器
３０６１　第１の接続端子
３０６２　第２の接続端子
４０７１　第１の処理信号切換端子
４０７２　第２の処理信号切換端子
４０８０　処理時間検出手段
４０８１　試験信号発生手段
４０８２　試験信号検出手段
４０８３　処理時間演算手段
５２０３、８２０３　第３の音声信号処理接続手段
５２０４、８２０４　第４の音声信号処理接続手段
５３００、６３００、７３００　減衰率変更手段
５３１０　第１の減衰率調整手段
５３１１　第１のゲインデータ出力手段
５３１２　第１の積分手段
５３２０　第２の減衰率調整手段
５３２１　第２のゲインデータ出力手段
５３２２　第２の積分手段
５９０１　第１の乗算手段
５９０２　第２の乗算手段
５９０３、８９０３　ミキシング手段
６３１０、７３１０　減衰率調整手段
６３１１、７３１１　ゲインデータ出力手段
６３１２、７３１２　積分手段
６３３０　負符号乗算手段
６３４０　加算手段
６３５０　固定値出力手段
７３６０　出力先切換手段
７３７０　データ検出手段
８５１０　第１の振幅減衰手段
８５１１　第１の右１ビットシフト手段
８５１２　第１の右２ビットシフト手段
８５１３　第１の０振幅信号出力手段
８５１４　第１の信号切換手段
８５２０　第２の振幅減衰手段
８５２１　第２の右１ビットシフト手段
８５２２　第２の右２ビットシフト手段
８５２３　第１の０振幅信号出力手段
８５２４　第２の信号切換手段
【図１】
2004004274.tif 000003
【図２】
2004004274.tif 000004
【図３】
2004004274.tif 000005
【図４】
2004004274.tif 000006
【図５】
2004004274.tif 000007
【図６】
2004004274.tif 000008
【図７】
2004004274.tif 000009
【図８】
2004004274.tif 000010
【図９】
2004004274.tif 000011